(57)【要約】【課題】ホルダー等を携帯する際に、首に吊り下げる方法と衣服に固定する方法とを選択可能にしつつ、何れかの固定方法をとった場合においても、他の固定方法に係る構成が干渉しない携帯補助具を提供することを解決課題とする。【解決手段】携帯される物品Ｐに取り付けられて、この物品Ｐを使用者の身体に止着するようにした携帯補助具であって、基体２と、この基体２に一体に設けられてこの基体２との間に前記使用者の衣服を挟み込む止着片３と、前記基体２の前記止着片３と反対側に取り付けられて、前記物品Ｐを挟み込む挟持片４と、この挟持片４と前記基体２の何れか一方に着脱可能に取り付けられた連結部材５と、この連結部材５に取り付けられた吊り帯６とによって構成されている。【選択図】図４
2015142622.tif 000002
【特許請求の範囲】
【請求項１】
携帯される物品に取り付けられて、この物品を使用者の身体に止着するようにした携帯補助具であって、基体と、この基体に一体に設けられてこの基体との間に前記使用者の衣服を挟み込む止着片と、前記基体の前記止着片と反対側に取り付けられて、前記物品を挟み込む挟持片と、この挟持片と前記基体の何れか一方に着脱可能に取り付けられた連結部材と、この連結部材に取り付けられた吊り帯とによって構成されていることを特徴とする携帯補助具。
【請求項２】
前記基体および前記止着片が弾性材料によって一体形成され、その弾性により、前記衣服を挟み込むようになされていることを特徴とする請求項１に記載の携帯補助具。
【請求項３】
前記挟持片が、前記基体に回動可能に装着されているとともに、前記基体と前記挟持片との間に弾性部材が介装され、この弾性部材の付勢力によって前記物品を挟み込むようになされていることを特徴とする請求項１または請求項２に記載の携帯補助具。
【発明の詳細な説明】
【技術分野】
【０００１】
本発明は、携帯用物品たとえばカードホルダーや抗菌剤パック等を、その使用者が携帯して使用する際に、用いられる携帯補助具に関するものである。
【背景技術】
【０００２】
一般に、保安管理のために、社員等に、その人物を特定するＩＤカードを発行して携帯させ、社内への出入りの都度、前記ＩＤカードをカードリーダーに読み込ませて出入りする人物を特定することにより、不審者の侵入を防止することが行なわれている。
【０００３】
あるいは、抗菌性物質を含浸させたパックを携帯することにより、身体回りを除菌しあるいは消臭することが行なわれている。
【０００４】
そして、このようなカードホルダーや抗菌剤パック等を使用者が携帯する場合、これらのカードホルダーや抗菌剤パック等に吊り下げ用の帯を取り付けて、この吊り下げ用の帯を首に掛ける方法（特許文献１）、あるいは、前記カードホルダーや抗菌剤パック等をクリップによって衣服に固定する方法の何れかの方法をとっている。
【先行技術文献】
【特許文献】
【０００５】
【特許文献１】特開２００８−２６４２９６号公報
【発明の概要】
【発明が解決しようとする課題】
【０００６】
ところで、前述したカードホルダーや抗菌剤パック等（以下、ホルダーと略称する）を吊り下げ用の帯を用いて首に吊り下げて携帯する方法であると、たとえば、歩行時に前記ホルダーがはねて邪魔になる。
【０００７】
また、前記ホルダーを、クリップを用いて衣服に固定することによって携帯する方法であると、衣服の種類によっては、前記クリップで挟み込む部分がなく、携帯できない場合がある。
【０００８】
このような不具合を解消するために、前記クリップに吊り下げ用の帯を取り付けることも考えられるが、ホルダーをクリップによって衣服に固定した場合に、このクリップに取り付けた吊り下げ用の帯が邪魔になるという新たな不具合が生じる。
【０００９】
本発明は、このような従来の問題点に鑑みてなされたもので、ホルダー等を携帯する際に、首に吊り下げる方法と衣服に固定する方法とを選択可能にしつつ、何れかの固定方法をとった場合においても、他の固定方法に係る構成が干渉しない携帯補助具を提供することを解決課題とする。
【課題を解決するための手段】
【００１０】
本発明の携帯補助具は、前述した課題を解決するために、携帯される物品に取り付けられて、この物品を使用者の身体に止着するようにした携帯補助具であって、基体と、この基体に一体に設けられてこの基体との間に前記使用者の衣服を挟み込む止着片と、前記基体の前記止着片と反対側に取り付けられて、前記物品を挟み込む挟持片と、この挟持片と前記基体の何れか一方に着脱可能に取り付けられた連結部材と、この連結部材に取り付けられた吊り帯とによって構成されていることを特徴とする。
【００１１】
このような構成とすることにより、前記連結部材と前記基体若しくは前記挟持片と連結しておき、前記基体と挟持片との間に物品を挟み込んで、前記携帯補助具を前記物品に取り付け、前記連結部材に取り付けられている吊り帯を使用者の首に掛けることにより携帯することができる。
【００１２】
ここで、前記基体に、前記使用者の衣服を挟み込むために設けられている前記止着片は、前記挟持片と反対側に設けられているために、前記吊り帯を用いて前記物品を携帯した状態でも、前記止着片が邪魔になることはない。
【００１３】
一方、前記物品を衣服に止着して携帯する場合には、この物品を、前記挟持片と前記基体との間に挟み込んで固定し、また、前記基体若しくは挟持片から前記連結部材を取り外して、この連結部材とともに前記吊り帯を取り外す。
【００１４】
この状態で、前記基体と止着片とで衣服のポケット等を挟み込むことにより、前記物品を前記携帯補助具を介して衣服に取り付けることができる。
【００１５】
このように、前記物品を衣服に直接装着する場合、前記吊り帯を連結部材とともに取り外すことができるので、前記連結部材や吊り帯が邪魔になることはない。
【００１６】
このように、使用者の好みに合わせて物品の携帯方法を選択することができるとともに、選択した携帯方法の何れにおいても、他の携帯方法に係る構成部材が邪魔になることがなく、快適な携帯状態を実現することができる。
【００１７】
そして、前記基体および前記止着片を弾性材料によって一体に形成して、その弾性により前記衣服を挟み込むように構成することができる。
【００１８】
このような構成とすることにより、部品点数を極力少なくしつつ、衣服への止着機能を確保することができる。
【００１９】
また、前記挟持片を、前記基体に回動可能に装着するとともに、前記基体と前記挟持片との間に弾性部材を介装し、この弾性部材の付勢力によって前記物品を挟み込むように構成することができる。
【００２０】
このような構成とすると、前記弾性部材の付勢力により前記物品を挟み込むことにより、この物品に対する十分な挟持力を確保することができる。
これによって、携帯した前記物品の不用意な落下を防止することができる。
【発明の効果】
【００２１】
このように，本発明によれば、使用者の好みに合わせて物品の携帯方法を選択することができるとともに、選択した携帯方法の何れにおいても、他の携帯方法に係る構成部材が邪魔になることがなく、快適な携帯状態を実現することができる
【図面の簡単な説明】
【００２２】
【図１】本発明の一実施形態を示す側面図である。
【図２】本発明の一実施形態を示す平面図である。
【図３】本発明の一実施形態を示す要部の断面側面図である。
【図４】本発明の一実施形態を示すもので、物品の装着手順を示す側面図である。
【図５】本発明の一実施形態を示すもので、物品の装着手順を示す側面図である。
【図６】本発明の一実施形態を示すもので、物品を衣服に装着した状態を示す側面図である。
【図７】本発明の一実施形態を示すもので、物品を衣服に装着した状態を示す正面図である。
【発明を実施するための形態】
【００２３】
以下に、本発明の一実施形態について、図面を参照して説明する。
これらの図において符号１は、本実施形態に係わる携帯補助具を示し、この携帯補助具１は、携帯される物品Ｐに取り付けられて、この物品Ｐを使用者の身体に止着するようにした携帯補助具であって、基体２と、この基体２に一体に設けられてこの基体２との間に前記使用者の衣服Ｗを挟み込む止着片３と、前記基体２の前記止着片３と反対側に取り付けられて、前記物品Ｐを挟み込む挟持片４と、この挟持片４と前記基体２の何れか一方に着脱可能に取り付けられた連結部材５と、この連結部材５に取り付けられた吊り帯６とによって構成されている。
【００２４】
次いで、これらの詳細について説明すれば、前記基体２および前記止着片３が弾性を有する合成樹脂によって逆Ｕ字状に一体形成されており、前記止着片３の、前記基体２との対向面に、この基体２と当接若しくは微少間隔をおいて対向させられる突起３ａが突設されている。
【００２５】
そして、これらの基体２および止着片３は、その弾性により相互に接近離間する方向に変形させられるようになっているとともに、両者間に挿入される前記衣服Ｗを弾性的に挟み込むようになされている。
【００２６】
前記挟持片４は、本実施形態においては合成樹脂によって形成され、その両側部において、前記基体２との対向面間に設けられた蝶番７を介して前記基体２に回動可能に装着されている。
【００２７】
前記蝶番７は、前記基体２および挟持片４の長さ方向の略中間部に設けられ、前記挟持片４の、前記蝶番７を挟んだ一端部が、前記基体２と前記止着片３との開口部側に位置させられるとともに、前記基体２との間で前記物品Ｐを挟み込むようになっている。
【００２８】
また、前記挟持片４の一端部で、前記基体２との対向面には、この基体２へ向かう突起４ａが突設させられており、前記挟持片４と前記基体２との間に挿入される前記物品Ｐを、前記基体２との間で挟み込むようになっている。
【００２９】
さらに、前記基体２の前記挟持片４の一端部側の端部は、この挟持片４の一端部から突出するように形成され、その突出端部には、前記挟持片４の一端部の前方に位置させられる突起２ａが形成されている。
【００３０】
そして、前記基体２の、前記挟持片４との対向面で、前記両蝶番７間には凹部２ｂが形成されている。
この凹部２ｂは、前記両蝶番７を挟んで、前記基体２の一端部から他端部へ延びるように形成されており、その一端部には、後述する弾性部材８が係合させられる係止片９が突設されている。
【００３１】
前記弾性部材８は、本実施形態においては、板状のバネ鋼を略Ｖ字状に折曲して形成されており、その一端部側が前記凹部２ｂ内に収納されて保持され、他端部側が、前記挟持片４の、前記基体２との対向面に接触状態で位置させられることにより、前記基体２と挟持片４との間に介装されている。
【００３２】
前記弾性部材８は、その折曲部において前記基体２に突設された係止片９に当接させられており、これによって、前記基体２に対する位置決めがなされ、前記基体２と前記挟持片４との間に介装された状態において、これらの他端部を相互に離間する方向に付勢して、これらの一端部を弾性的に当接させるようになっている。
【００３３】
一方、前記挟持片４の他端部は、前記基体２の他端部より突出するように形成されているとともに、その他端部に、前記基体２の他端面に対向させられる連結片４ｂが一体に形成され、この連結片４ｂに、前記連結部材５が嵌合係止される貫通孔１０が穿設されている。
【００３４】
前記連結部材５は、合成樹脂等の弾性変形可能な材料によって形成されており、一対の平行な係合片５ａをこれらの基部において一体化した構成となっている。
【００３５】
前記各係合片５ａは、その先端部が前方に行くにしたがい相互に接近するように楔状に形成されているとともに、前記連結部材５に外力が加わっていない状態において、その楔形状の頂部間の間隔が、前記連結片４ｂに形成されている前記貫通孔１０の内部寸法よりも大きくなるように形成されている。
【００３６】
また、前記両係合片５ａは、相互に接近するように弾性変形させられた状態において、これらの楔形状の頂部間の距離が、前記貫通孔１０の内径よりも小さくなるように形成されている。
【００３７】
さらに、前記各係合片５ａの、これらの対向面と反対側の面で、前記楔形状の頂部近傍には係合凹部５ｂがそれぞれ形成されており、前記各係合片５ａが相互に近接するように弾性変形されつつ前記貫通孔１０内に挿入させられた際に、前記貫通孔１０の内面が前記各凹部５ｂに対向させられた時点で、前記各係合片５ａがその弾性力によって相互に離間する方向に相対移動させられるとともに、前記貫通孔１０の内面が前記各凹部５ｂに入り込み、これによって、前記連結部材５と前記挟持片４とが連結されるようになされている。
【００３８】
一方、前記連結部材５の基端部には長孔５ｃが形成されており、この長孔５ｃに前記吊り帯６が装着されるようになっている。
【００３９】
このように構成された本実施形態に係わる携帯補助具１は、図４に示すように、前記挟持片４および前記基体２の他端部どうしを相互に接近させるように、前記弾性部材８の弾性力に抗して回動させて、前記挟持片４および前記基体２の一端部間を開放し、その開放部に前記物品Ｐの一辺を挿入し、ついで、前記両基体２および前記挟持片４への負荷を開放することにより、これらの一端部で前記物品Ｐを挟み込んでこの物品Ｐに装着される。
【００４０】
前記物品Ｐに本実施例の携帯補助具１が装着されるが、使用者の好みによって、前記物品の携帯の形態が選択される。
【００４１】
使用者が首に吊り下げる形態を選択した場合には、図４に示すように、吊り帯６が装着された前記連結部材５を前記挟持片４に連結する。
これによって、本実施形態の携帯補助具１が物品Ｐに装着され、かつ、前記携帯補助具１を介して前記吊り帯６が前記物品Ｐに取り付けられる。
【００４２】
この状態で、使用者は、前記吊り帯６を首に掛けることによって、前記物品Ｐを身体に携帯することができる。
【００４３】
このようにして物品Ｐを首に吊り下げるようにして携帯した状態において、他の携帯方法に用いられる止着片３は、前記物品Ｐを保持する基体２に沿って位置させられていることから邪魔になるようなことはない。
【００４４】
一方、前記物品Ｐを衣服に直接装着して携帯する場合には、前記連結部材５を前記挟持片４から取り外して、前記連結部材５と吊り帯６を前記基体２から取り外した状態で、前記衣服Ｗの所望の位置に装着する。
【００４５】
前記連結部材５の取り外しは、その両係合片５ａを相互に近接させるように弾性変形させ、それぞれの頂部間の距離を、前記貫通孔１０の内径よりも小さくした状態で、前記両係合片５ａを前記貫通孔１０から引き抜くことによって行なわれる。
【００４６】
そして、前記物品Ｐを、前記衣服Ｗのポケットに装着して携帯する場合、図６および図７に示すように、前記ポケットの開口縁部を、前記基体２と前記止着片３に設けられている突起３ａとの間に差し込む。
【００４７】
これによって、ポケットが前記基体と前記突起３ａとの間に、弾性的に挟み込まれて、本実施形態に係る携帯補助具１を介して前記物品Ｐが前記衣服Ｗに装着される。
【００４８】
このように、前記物品Ｐを本実施形態に係わる携帯補助具１を介して前記衣服Ｗに直接装着した状態で、首に吊り下げる際に使用した前記連結部材５および吊り帯６が、前記挟持片４から取り外されていることにより、これらが邪魔になることはない。
【００４９】
したがって、使用者が、物品Ｐを携帯する方法を任意に選択することができ、かつ、何れの携帯方法選択をしても、他の携帯方法において必要とされる要素が邪魔になるようなことはない。
【００５０】
なお、前記実施形態において示した各構成部材の諸形状や寸法等は一例であって、設計要求等に基づき種々変更可能である。
【００５１】
たとえば、前記止着片３および前記基体２を弾性材料によって一体に形成した例について示したが、これらを別の部材で構成するとともに、これらを蝶番によって連結し、両者間に付勢部材を介装して、前記物品Ｐを把持させるようにしてもよく、前記挟持片４と前記基体２とを弾性材料によって一体に形成して、その弾性力によって前記物品Ｐを把持させるようにしてもよい。
【符号の説明】
【００５２】
１  携帯補助具
２  基体
２ａ  突起
２ｂ  凹部
３  止着片
３ａ  突起
４  挟持片
４ａ  突起
４ｂ  連結片
５  連結部材
５ａ  係合片
５ｂ  係合凹部
６  吊り帯
７  蝶番
８  弾性部材
９  係止片
１０  貫通孔
Ｐ  物品
Ｗ  衣服
【図１】
2015142622.tif 000003
【図２】
2015142622.tif 000004
【図３】
2015142622.tif 000005
【図４】
2015142622.tif 000006
【図５】
2015142622.tif 000007
【図６】
2015142622.tif 000008
【図７】
2015142622.tif 000009